(57)【特許請求の範囲】
【請求項１】
画像データを受信する受信手段と、
前記受信手段で受信した画像データを蓄積する蓄積手段と、
複数の記録紙を収納可能な収納手段と、
任意のサイズの記録紙の手差し給紙を行うための手差し給紙手段と、
前記手差し給紙手段より給紙される記録紙に前記受信手段で受信した画像データを記録する記録手段と、
前記受信手段で画像データを受信した場合に、前記記録手段による記録開始前に記録を行ってもよいか否かをオペレータに通知する通知手段と、
前記通知手段による通知に対し、記録を行うことが指示された場合に、前記記録手段による記録を開始するよう制御するとともに前記通知手段による通知に対し、所定時間指示がなければ、前記受信手段で受信した画像データを前記蓄積手段に蓄積しておくか、或いは前記収納手段より給紙される記録紙に記録させるかを選択的に制御する制御手段とを有することを特徴とする画像処理装置。
【請求項２】
前記制御手段は、前記通知手段による通知に対し、記録を行わないよう指示があった場合に、前記受信手段で受信した画像データを前記蓄積手段に蓄積しておくか、或いは前記収納手段より給紙される記録紙に記録させるかを選択的に制御することを特徴とする請求項１に記載の画像処理装置。
【請求項３】
画像データを入力する入力手段と、
前記入力手段で入力された画像データを蓄積する蓄積手段と、
任意のサイズの記録紙の手差し給紙を行うための手差し給紙手段と、
前記入力手段で入力した画像データを前記手差し給紙手段より給紙される記録紙に記録する記録手段と、
前記入力手段で入力した画像データを記録紙からはみ出すことなく記録できたか否か判断する判断手段と、
前記判断手段で記録できたと判断した場合、前記蓄積手段から当該画像データを消去し、記録できなかったと判断した場合、当該画像データを保持しておくように制御する制御手段とを有することを特徴とする画像処理装置。
【請求項４】
更に、前記入力手段で入力した画像データのサイズを検出するサイズ検出手段と、
記録紙の先端が所定の位置に達してから後端が通過するまでの時間を計時する計時手段とを有し、
前記判断手段は前記サイズ検出手段の検出結果及び前記計時手段の計時結果に基づき記録できたか否か判断することを特徴とする請求項５に記載の画像処理装置。
【発明の詳細な説明】
【０００１】
【産業上の利用分野】
本発明は、画像データの処理を行う画像処理装置に関し、特に手差し給紙が可能な画像処理装置に関する。
【０００２】
【従来の技術】
従来より、ファクシミリの受信やコンピュータの出力、或いは複写機能等のための記録を行うことが可能な記録装置において、給紙手段としてカセットに定型紙をセットする他に手差しトレイによる給紙手段を有し、カセットにセットできないサイズの記録材への記録を可能とする技術が知られている。すなわち、カセットにセットできる用紙が例えばＡ４・レター・リーガルであり、これ以外の例えばＢ５・はがき・封筒・ＯＨＰシート等や、その他の特殊形状の記録材に記録しようとした場合、手差しトレイに用紙をセットして対応するようにしていた。手差しトレイは様々なサイズの用紙をセットできるが、このセットされた用紙のサイズを自動的に検知するにはメカ部品や電気部品を多数必要とし、コストアップを招いてしまい、低価格化は困難であった。そこで、手差しトレイではセットされた用紙のサイズの自動検知を行わない場合が多い。このため、手差しトレイにいかなるサイズの記録紙がセットされていても記録を開始するものがほとんどであった。
【０００３】
【発明が解決しようとする課題】
しかしながら、手差しトレイから給紙される記録紙に記録させる場合、入力された画像データのサイズに拘らず記録を実行するので、例えば他の処理のために手差しトレイに記録紙がセットしてあると、入力された画像データのサイズが記録紙のサイズより大きいために記録紙からはみ出してしまうといった記録エラーを生じてしまうことがあった。
【０００４】
また、仮に手差しトレイにセットされた転写材のサイズを検知することができたとしても、この場合、入力された画像データのサイズと手差しトレイにセットされた転写材とサイズが適合すると、この手差しトレイにセットされた転写材へ記録することになる。このとき、例えば、手差しトレイにＯＨＰシートがセットされていた場合は、このＯＨＰシート等記録させたくなかった転写材に記録を行ってしまうといった不都合が生じてしまう。
【０００５】
また、記録エラーを生じてしまった場合には、再び画像データを入力しなおさなければいけないので、そのための作業が煩わしいといった問題点があった。
【０００６】
本発明は上述の問題点に鑑みてなされたもので、手差し給紙による記録を行う場合の記録エラーを防止できる画像処理装置を提供することを目的とする。
【０００７】
また、記録エラーが生じた場合に、以後の対処を効率よく行うことができる画像処理装置を提供することを目的とする。
【０００８】
【課題を解決するための手段及び作用】
上記目的を達成するために本発明の画像処理装置は以下の構成を備える。
【０００９】
即ち、画像データを受信する受信手段と、受信手段で受信した画像データを蓄積する蓄積手段と、複数の記録紙を収納可能な収納手段と、任意のサイズの記録紙の手差し給紙を行うための手差し給紙手段と、前記手差し給紙手段より給紙される記録紙に前記受信手段で受信した画像データを記録する記録手段と、前記記録手段による記録開始前に、記録を行ってもよいか否かをオペレータに通知する通知手段と、前記通知手段による通知に対し、記録を行うことが指示された場合に、前記記録手段による記録を開始するよう制御するとともに前記通知手段による通知に対し、所定時間指示がなければ、前記受信手段で受信した画像データを前記蓄積手段に蓄積しておくか、或いは前記収納手段より給紙される記録紙に記録させるかを選択的に制御する制御手段とを有する。上記構成によれば、手差し給紙による記録を行なっても良いか否かの通知に対し、記録を行なうように指示があった場合は手差し給紙による記録を行い、所定時間指示が無ければ受信手段で受信した画像データを前記蓄積手段に蓄積しておくか、或いは収納手段より給紙される記録紙に記録させるかを選択的に制御するので記録ミスを防止できる。
【００１０】
また、画像データを入力する入力手段と、前記入力手段で入力した画像データのサイズを検出するサイズ検出手段と、任意のサイズの記録紙の手差し給紙を行うための手差し給紙手段と、前記サイズ検出手段による検出結果に基づき前記入力手段で入力した画像データを記録すべき記録紙のサイズを決定する決定手段と、前記手差し給紙手段による給紙を行うべき状態にある場合に、前記決定手段で決定した記録紙のサイズを表示する表示手段とを有する。上記構成によれば、表示された記録紙をセットすればよいので記録ミスを防止できる。
【００１１】
また、画像データを入力する入力手段と、前記入力手段で入力された画像データを蓄積する蓄積手段と、任意のサイズの記録紙の手差し給紙を行うための手差し給紙手段と、前記入力手段で入力した画像データを前記手差し給紙手段より給紙される記録紙に記録する記録手段と、前記入力手段で入力した画像データを記録紙からはみ出すことなく記録できたか否か判断する判断手段と、前記判断手段で記録できたと判断した場合、前記蓄積手段から当該画像データを消去し、記録できなかったと判断した場合、当該画像データを保持しておくように制御する制御手段とを有する。上記構成によれば、記録エラーが発生したか否かを判断し、記録できた場合は蓄積手段から当該画像データを消去するので蓄積手段を効率的に使用でき、記録できなかった場合は画像データを保持しておくので後から容易に読み出し、記録させることができる。
【００１２】
【実施例】
以下、図面を参照して本発明の一実施例を詳細に説明する。
【００１３】
図１は、本発明の一実施例であるファクシミリ装置の概略構成を示すブロック図である。また、図２はこのファクシミリ装置の外観図であり、図３は要部断面図である。
【００１４】
以下、これらの図を用いてファクシミリ装置の構成を説明する。また、以下の図において同一の符号を付したものはそれぞれ同一のものを表す。
【００１５】
１はファクシミリ装置の装置本体であり、制御部１００、読み取部１０１、記録部１０２、操作部１０３、表示部１０４、通信部１０５、音響装置１０６、外部Ｉ／Ｆ１０７、不揮発性記憶装置１０８等を備える。
【００１６】
読み取り部１０１は原稿画像を読み取り、この読み取った画像データを制御部１００に送る。
【００１７】
まず、原稿搬送部２において、原稿Ｓの幅に合わせてスライダ６０を設定し、原稿載置台１２上に原稿Ｓが置かれると原稿検知センサがこれを検知し、読み取り指示がされると、読み取りモータを駆動し、原稿載置台１２上に画像情報面を下にして複数枚積載した原稿Ｓを予備搬送押圧片２ａと圧接した予備搬送ローラ２ｂ及び分離押圧片２ｃと圧接した分離ローラ２ｄによって１枚ずつ分離し、さらに給紙コロ２ｅと圧接した給紙ローラ２ｆで密着型イメージセンサ１４の位置まで先頭ページから連続して搬送される。原稿押え板１５で押えられて搬送された原稿Ｓに密着型イメージセンサ１４がＬＥＤアレイを光源として画像情報面に光を照射し、その反射光をセルフォックレンズでセンサ素子に結像して画像情報を読み取る。センサ素子にて読み取られた画像情報は、シェーディング補正、Ａ／Ｄ変換、２値化等の処理が施される。その後、光学部４または通信部１０５に送られ記録または送信が行われる。一方、画像情報を読み取った後の原稿Ｓは、排紙コロ２ｇと排紙ローラ２ｈによって原稿排紙トレイ１３に排出される。
【００１８】
記録部１０２は制御部１００からスムージング等の処理が施されて送られた画像情報を記録モータ等を駆動し、レーザスキャナや電子写真プロセスの制御を行う制御素子により光学部４や画像形成部５等の記録装置を経て記録出力する。
【００１９】
図４は光学部４の概略を示した図である。光学部４では制御部１００から送られる画像信号に従ってレーザスキャナ１６のレーザダイオード１７を発光させ、変調されたレーザビームを発生する。変調されたレーザビームはコリメータレンズ１８により平行光に変換された後、ポリゴンモータＭ３の回転により一定速度で回転する多面体ミラー１９に入射される。多面体ミラー１０から反射されたレーザビームは多面体ミラー１９の前に配置された結像レンズ２０によりミラー４５を介して感光ドラム２１上に焦点を結ぶ。多面体ミラー１９が一定速度で回転すると、感光ドラム２１上のレーザビームは一定速度で感光ドラム２１上を走査する。感光ドラム２１が一定速度で回転し、かつレーザビームが一定速度で感光ドラム２１上を走査すると、感光ドラム２１上には静電潜像が形成される。
【００２０】
レーザビームの光路中には固定ミラー４６が配置されており、走査開始位置に到達したレーザビームは固定ミラー４６により反射されて受光素子４７に入射される。
【００２１】
入射された光は、受光素子４７によって電流に変換され、さらに電流−電圧変換され、水平同期信号の生成に用いられる。
【００２２】
画像形成部５では、導電ドラムと光導電層で構成される感光体ドラム２１の周りに一次帯電器２２、現像器２３、転写帯電器２４、ブレード方式のクリーニング器２５、除電器２６が構成されている。ここで感光体ドラム２１、一次帯電器２２、現像器２３、クリーニング器２５、除電器２６は、現像剤回収容器２７と共に装置本体の取付部材中に着脱自在に取り付けられるプロセスカートリッジ２８として一体的に収納されている。さて、感光体ドラム２１、一次帯電器２２、現像器２３内の現像スリーブ２３ａ、及び転写帯電器２４はモータＭ２により駆動される。駆動された感光ドラム２１は、一次帯電器２２の通過によりその表面を均一にマイナスに直接帯電された後、レーザダイオード１７によりレーザ光を受け露光される。このレーザ光の照射によって明部のマイナス電荷は中和され、静電潜像が形成される。そして該静電潜像は現像器２３中の現像剤Ｔに近接すると、マイナス帯電した現像剤Ｔが潜像と現像器２３間の電位差により感光ドラム２１表面にジャンプし、可視像化される。そして転写帯電器２４によってプラス電荷をかけ、感光体ドラム上のトナー像を転写材Ｐ上に転写する。また、転写が終了した感光体ドラム２１表面はクリーニング器２５によって残留トナーを除去された後、一次帯電器２２によってドラム電位を均一にされ、次の静電潜像の形成に備える。ドラム表面上より除去された残留トナーは現像剤回収容器２８に回収される。
【００２３】
転写材搬送部６では、多数の転写材を収納可能な第１カセット２９、第２カセット３０が装置本体１の所定部に引き出し可能に装着されている。また、手差しトレイ６１が装置本体１の所定部に配置されている。記録紙の有無を検知するセンサが転写材Ｐがあることを検知すると、第１カセット２９、ダイ２カセット３０にセットされた転写材Ｐは選択的に搬送される。
【００２４】
手差しトレイ６１は開閉可能になっており、手差しトレイ６１が開いている時は第１カセット２９、第２カセット３０から給紙されないので、手差しトレイ６１にセットされた転写材Ｐはカセットにセットされた転写材よりも優先的に搬送される。つまり、手差しトレイ６１を開けることにより手差し給紙が選択できる。また、手差しトレイ６１には不図示のガイドが備えられ、このガイドを転写材Ｐの幅に合わせることにより、この幅が検知できる。
【００２５】
まず第１カセット２９にセットされた転写材Ｐを搬送する場合、給紙ソレノイドＳＬ１の駆動によってモータＭ２の駆動を半円状の給紙ローラ２９ａに伝え、その回転によって転写材Ｐを１枚ずつ分離する。そして分離された転写材Ｐは搬送ローラ３１ａにより搬送される。この際レジセンサ３１ｂにより給送中の転写材Ｐの先端位置を検知して、感光体ドラム２１に形成されたトナー像の先端と、転写材Ｐの先端が一致するように搬送タイミングをとり、搬送ローラ３１ａによって感光ドラム２１と転写帯電器２４との間に搬送される。次に第２カセット３０にセットされた転写材Ｐを搬送する場合、給紙ソレノイドＳＬ２の駆動によってモータＭ２の駆動を半円状の給紙ローラ３０ａに伝え、その回転によって転写材Ｐを１枚ずつ分離し、カセット搬送ローラ３０ｂによって搬送ローラ３１ａまで搬送される。その後は搬送ローラ３１ａにより搬送され、この際レジセンサ３１ｂにより給送中の転写材Ｐの先端位置を検知して、感光体ドラム２１に形成されたトナー像の先端と、転写材Ｐの先端が一致するように搬送タイミングをとり、搬送ローラ３１ａによって感光ドラム２１と転写帯電器２４との間に搬送される。次に手差しトレイ６１にセットされた転写材Ｐを搬送する場合、モータＭ２の駆動が搬送ローラ３１ａに伝わり回転する。その回転によって手差しトレイ６１にセットされた転写材Ｐを直接的に１枚ずつ分離する。そして分離された転写材Ｐはさらに搬送ローラ３１ａにより搬送される。この際レジセンサ３１ｂにより給送中の転写材Ｐの先端位置を検知して、感光体ドラム２１に形成されたトナー像の先端と、転写材Ｐの先端が一致するように搬送タイミングをとり、搬送ローラ３１ａによって感光ドラム２１と転写帯電器２４との間に搬送される。
【００２６】
画像形成部５において画像の転写を受けた転写材Ｐは、モータＭ２によって駆動される定着ローラ３２及び排紙ローラ３３によってさらに搬送され、転写材排紙トレイ３４上に排出される。なお、給紙部、排紙部にはそれぞれ給紙センサ３５、排紙センサ３６があり転写材Ｐの到達或いは通過を検知している。転写材が所定の時間内に各センサ部に到達或いは通過しない場合、転写材Ｐの搬送不良が生じたと判断し、その旨表示を行う。また、装置本体１には第１開閉蓋３７、第２開閉蓋３８、第３開閉蓋３９、及び上カバー４０が開閉可能に取り付けられており、第１開閉蓋３７は排紙部における転写材詰まりを取り除くために用いられ、第２開閉蓋３８、第３開閉蓋３９は給紙部における転写材詰まりを取り除くために用いられ、上カバー４０はプロセスカートリッジ２８における転写材詰まりの取り除き処理及びプロセスカートリッジ２８の着脱の際に用いられる。
【００２７】
画像定着部７は、ヒータ４１、定着フィルム４２、定着加圧ローラ３２、排紙ローラ３３等によって構成されている。ヒータ４１はヒータ４１に密着させたサーミスタ４３の抵抗値変化によりその表面温度を検知し、ヒータ４１の表面温度が一定となるように制御される。そしてその熱により定着フィルム４２が温められる。このヒータの熱容量は小さく、転写材Ｐが定着器に到達する前に所定の定着温度に達する。
【００２８】
そして画像形成部５においてトナー像の転写を受け感光体２１から分離、搬送されてくる転写材Ｐが、ヒータ４１と定着加圧ローラ３２により形成される定着ニップ部に突入すると、定着加圧ローラ３２は転写材Ｐ上のトナーを定着フィルム４２を介してヒータに圧接する。このときのヒータからの熱伝導によりトナーは軟化、溶融し、転写材に定着する。トナー像の定着を受けた転写材Ｐは記録紙排紙トレイ３４上に排出される。
【００２９】
操作部１０３は複数のキー入力スイッチ及びキー入力を検出する回路等により構成されており、ファクシミリ装置１の動作指示及び各種情報の入力を行う。
【００３０】
即ち、操作部１０３は、ダイヤルするときや、データを登録、設定するときなどに用いるテンキー、各種機能を利用するためのファンクションキー、電話番号等を登録しておきワンタッチでダイヤルするためなどに用いるワンタッチキー、送信や受信、コピーなどを始めるときに用いるスタートキー、送信、登録や設定などの動作を中止したいときに用いるストップキー等の各種キースイッチ等からなる。
【００３１】
表示部１０４は装置の状態、発呼する相手の電話番号、時刻情報及び操作手順等の表示を行う。
【００３２】
即ち、表示部１０４は、通信状況の確認やデータの登録、設定、確認メッセージなど各種メッセージの表示を行うＬＣＤ、通信中に点灯するランプ、各種エラー時に点灯するランプ、読取モードや送信モード等の表示を行うランプ等の各種ＬＥＤ等からなる。
【００３３】
通信部１０５は通信回線や電話機等の通信機器とファクシミリ装置１を接続するものであり、通信回線から入力される画像通信データの変調・復調や有意信号の検出、信号経路の接続切り替え等を行う。
【００３４】
通信部１０５は、ＤＳＵ、ＮＣＵからなる接続部を有し、これらを介してＩＳＤＮ、ＰＳＴＮ等の通信網に接続され、発呼、着呼等の通信制御が行われる。そして、制御部１００で符号化された画像データを送信したり、受信した画像データを制御部１００に送ったりする。そして画像データの変復調及び通信手順信号、ＤＴＭＦ信号の送受信等はモデムを介して行われる。また、一時的に画像データを保持するためのバッファを有する。
【００３５】
音響装置１０６は各種状態を音響によりオペレータに通知するものである。
【００３６】
即ち、音響装置１０６は、エラー状態を示す音響、動作終了を示す音響、操作を促す音響等を鳴らすためのスピーカー等からなる。
【００３７】
外部インターフェース１０７は制御部１００と外部装置との間でデータの送受信を行うインターフェースであり、例えばＲＳ２３２Ｃ、ＳＣＳＩ、ＬＡＮ等を介してパーソナルコンピュータ等の外部装置と接続することができる。そして、この外部のコンピュータからの指示によりファクシミリ装置１の制御を行うことが可能で、コンピュータからの指示で原稿を読み取り部１０１で読み取らせ、この読み取った画像データをコンピュータに取り込んだり、送信や記録を行う。また、受信したデータをコンピュータに取り込むこともできる。さらに、コンピュータから出力されるデータを記録部１０２で記録させ、ファクシミリ装置をプリンタ装置としても使用可能になる。
【００３８】
不揮発性記憶装置１０８は画像情報等の保存に使用される大容量の不揮発性のメモリである。この不揮発性記憶装置１０８は電源が切れても情報が消えることはなく、消去命令があった場合に消去されるものであり、ハードディスクや光ディスク等及びそのドライブなどからなる。
【００３９】
制御部１００は上述した各部における各種機構の制御や画像処理等を行うものであり、各要素とインターフェースを通じて結合した構成をとるものである。
【００４０】
制御部１００は、ファクシミリ装置１全体を制御するマイクロプロセッサユニット（ＭＰＵ）、ＭＰＵの動作のためのインストラクション群等のプログラムを格納したＲＯＭ、各種データ処理のワークエリアとして使用されるＲＡＭ、画像情報の一時的記録部として使用される画像ＲＡＭ、画像の変倍、解像度変換等の各種画像処理を行う。画像処理部、画像データの符号化を行う符号化部及び復号化を行う復号化部とワークエリアのＲＡＭを内蔵した第１、第２のコーデック等からなる。２つのコーデックを設けたことによりデュアル動作や高速動作が可能になる。また、制御部１００にはカレンダー、時計機能などが備えられ、各ＲＡＭはバッテリーバックアップによって停電などの不慮の障害などから保護されている。
【００４１】
次に、ファクシミリ装置１の要部に詳細に示した図５のブロック図を用いてファクシミリ装置１の動作について説明する。
【００４２】
ここで、読み取り制御素子７４は読み取り部１０１の各動作の制御を行うもので、ファクシミリ装置１全体を制御するＭＰＵ７０とインターフェースをとりながら、密着型イメージセンサ１４等の読み取り制御を行うための信号の入出力が行われる。また、読み取り制御素子７４は読み取り制御を行うための各種インストラクションを記述したＲＯＭ、ＲＯＭよりインストラクションを読み出す手段、読み出したインストラクションを処理する処理手段、処理手段が必要とする情報を記憶しておくための入力が可能なＲＡＭ、処理回路によって作り出された信号を出力する出力手段等を有し、これらの手段の相互作用により制御を行っている。
【００４３】
また、記録制御素子７５は記録部１０２の各動作の制御を行うもので、ＭＰＵ７０とインターフェースをとりながら、光学部４、画像形成部５、転写材搬送部６、画像定着部７等の記録装置７６の記録制御を行うための信号の入出力が行われる。また、記録制御素子７５は記録制御を行うための各種インストラクションを記述したＲＯＭ、ＲＯＭよりインストラクションを読み出す手段、読み出したインストラクションを処理する処理手段、処理手段が必要とする情報を記憶しておくための入力が可能なＲＡＭ、処理回路によって作り出された信号を出力する出力手段を有し、これらの手段の相互作用により制御を行っている。
【００４４】
リングバッファ７７は複数のラインバッファからなり、記録画像データ制御素子７８は復号化された画像データをリングバッファ７７に転送し、リングバッファ７７にデータが満たされると記録を行うように制御する。
【００４５】
以上の構成において、まず、コピー動作の際のＭＰＵ７０の命令による処理の流れを図６に示すフローチャートに基づき説明する。なお、本実施例のファクシミリ装置１は制御を簡易化するためにコピーの場合と送信の場合とは同様な流れで原稿を読み取り画像ＲＡＭに格納する。
【００４６】
まず、Ｓ６０１では、原稿載置台１２上に置かれた原稿Ｓの原稿幅をスライダ６０により検知し、制御部１００内のＲＡＭに記憶しておく、次に、Ｓ６０２では、コピーの指示のためのスタートキーが押下されたか否か判断し、押下されれば検知した原稿幅による主走査長に従って原稿Ｓを読み取るように読み取り制御素子７４に読み取りの開始を指示する。Ｓ６０３では密着型イメージセンサ１４による所定の解像度での読み取りを開始し、読み取り制御素子７４では読み取った画像を適性なレベルにディジタル化し、画像処理を施し、２値化処理を行い制御部１００に転送する。
【００４７】
Ｓ６０４では制御部１００内のＲＡＭの符号化された画像データのライン数を計数する。カウンタを初期化する。そして、Ｓ６０５で、第１コーデック７１により読み取り制御素子７４から出力される２値化データを１ライン予め定められたＭＨ或いはＭＲ方式にて符号化し、画像ＲＡＭ７２に蓄積する。これと同時に第１コーデック７１はＳ６０６で符号化したライン数を１つ加算することをＭＰＵ７０に通知し、ＭＰＵ７０は画像データのライン数を計数するカウンタのカウント数を１つ加算する。そして、Ｓ６０７で１ページの原稿Ｓの読み取り終了を読み取り制御素子７４が検知するまで符号化及びライン数のカウントを行い、１ページ分終了するとＳ６０８に進み読み取った画像を記録可能な記録紙のサイズを決定する。ここでは、原稿幅により主走査長、解像度及び１ページ分のライン数により副走査長を求め、読み取った画像のサイズに最も近い記録紙のサイズを求める。
【００４８】
次に、Ｓ６０９では手差し給紙を行うか否か判断する。即ち、手差しトレイ６１が開いていれば、手差し給紙の意思があるとし、Ｓ６１０に進む。Ｓ６１０では求めた適性記録紙のサイズを表示する。次にＳ６１１では手差しトレイ６１に記録紙がセットされているか否か判断し、セットされていれば記録紙を搬送し、Ｓ６１３で記録出力を行い排紙する。セットされていなければ手差しトレイ６１に記録紙をセットするよう指示をする表示を行う。一方、Ｓ６０９で手差し給紙を行わないと判断した場合、即ち、手差しトレイ６１が閉まっている場合は、Ｓ６１４に進み、求めた適性なサイズの記録紙が収納されているカセットを選択する。Ｓ６１５で記録紙があればＳ６１７で記録出力を行い、なければＳ６１６でカセットに給紙を行うよう指示する表示を行う。以上の処理を全ての原稿に対して行い、全ての原稿を正常に複写できれば読み取った画像データを画像ＲＡＭ７２から消去して終了する。
【００４９】
次に、ファクシミリ通信により受信した画像データを画像ＲＡＭ７２に蓄積し、記録部１０２で記録出力する場合のＭＰＵ７０の命令に基づく処理の流れを図７、図８に示すフローチャートに基づき説明する。
【００５０】
まず、Ｓ７０１で着信があると、通信回線より入力された信号は通信部１０５のモデム８０に入力される。そして、ファクシミリ通信における手順信号の送受信を行う。Ｓ７０２でＤＣＳ信号により送られてくる画像データの解像度及び原稿幅を検出し、制御部１００内のＲＡＭに記憶しておく。そして、Ｓ７０３では制御部１００内のＲＡＭの符号化された画像データのライン数を計数するカウンタを初期化する。次にＳ７０４で画像データを受信し、ＭＰＵ７０はモデム８０からの入力割り込み信号に応じて、モデム８０に入力された画像データを受信バッファ７９に格納する。さらにＭＰＵ７０は受信バッファ７９内の符号データを第２コーデック７３に供給する。第２コーデック７３では入力された符号データについて、その復号化部において、１ライン分の復号化されたデータを内部のＲＡＭに蓄積する。次に、Ｓ７０５では第２コーデック７３の符号化部で、ＲＡＭ内の復号化データを非圧縮符号を併用したＭＲ符号で符号化する。この符号化データはＭＰＵ７０によって画像ＲＡＭ７２に転送され、蓄積される。これと同時に第２コーデック７３はＳ７０６で符号化したライン数を１つ加算することをＭＰＵ７０に通知し、ＭＰＵ７０は画像データのライン数を計数するカウンタのカウント数を１つ加算する。そして、Ｓ７０７で画像データの１ページの終わりを示すＲＴＣ信号を検出するまで符号化及びライン数のカウントを行い、１ページ分終了するとＳ７０８に進み、受信した画像を記録可能な記録紙のサイズを決定する。ここでは、原稿幅により主走査長、解像度及び１ページ分のライン数により副走査長を求め、受信した画像のサイズに最も近い記録紙のサイズを求める。
【００５１】
次に、Ｓ７０９では手差し給紙を行うか否か判断する。即ち、手差しトレイ６１が開いていれば手差し給紙の意思があるとし、Ｓ７１０に進む。Ｓ７１０では求めた適性記録紙のサイズを表示を行う。Ｓ７１１では音響装置１０６により報知音を発生させ、Ｓ７１２でのファクシミリ受信データの手差し給紙による記録の実行か中止かの指示を求める表示に対する指示を促す。
【００５２】
一方、Ｓ７０９で手差し給紙を行わないと判断した場合、即ち、手差しトレイ６１が閉まっている場合は、Ｓ７１３に進み、求めた適性なサイズの記録紙が収納されているカセットを選択する。Ｓ７１４で記録紙があればＳ７１５で記録出力を行い、なければＳ７１６で画像データを画像ＲＡＭ７２から不揮発性記憶装置１０８に転送し、保持しておく。そして、Ｓ７１７では受信した画像データをメモリに保持していることを示す表示部１０４のＬＥＤを点灯しておく。尚、このＬＥＤが点灯している間に記録紙をセットし、操作部１０３のスタートキーを押下すると受信データが記録出力され、正常に出力されると不揮発性記憶装置１０８から消去される。
【００５３】
また、Ｓ７１２の表示に対し、Ｓ８０２で中止が指示されたか、Ｓ８０３で実行が指示されたか判断する。Ｓ８０１で所定時間内に指示がなければＳ７１３以降のカセット給紙による記録出力を行う。実行することが指示された場合はＳ８０４で手差しトレイ６１に記録紙がセットされているか否か判断し、セットされていればＳ８０６で手差し給紙による記録の実行指示により記録紙の搬送を開始し、Ｓ８０７で手差し給紙により記録出力を行い排紙する。セットされていなければ、手差しトレイ６１に記録紙をセットするよう指示をする表示を行う。
【００５４】
また、Ｓ８０２で、手差し給紙による記録を中止する指示があった場合は、Ｓ８０８に進み、カセット給紙による記録を行う指示であったか判断し、カセット給紙による記録の指示であり、また、手差しトレイ６１から搬送を開始された記録紙がなければ、前述のＳ７１３以降と同様にカセット給紙による記録出力を行う。また、カセット給紙の指示でなかった場合は、Ｓ８０９に進み、画像データを画像ＲＡＭ７２から不揮発性記憶装置１０８に転送し、保持しておく。そして、Ｓ８１０で受信した画像データをメモリに保持していることを示す表示部１０４のＬＥＤを点灯しておく。尚、この画像データはスタートキーの押下により、カセット給紙、或いは手差し給紙により記録出力される。以上の処理を全ての受信データに付いて行い、全ての受信データを正常に記憶できれば受信した画像データを画像ＲＡＭ７２及び不揮発性記憶装置１０８から消去して終了する。
【００５５】
次に、Ｓ６１３、Ｓ８０７における手差し給紙による記録出力の際のＭＰＵ７０及び記録制御素子７５の制御に基づく処理の流れを図９に示すフローチャートに基づき説明する。
【００５６】
尚、Ｓ６０８、或いはＳ７０８で決定した記録しようとする画像データの記録可能なサイズは以下の様な方法で制御部１００内のＲＡＭから記録制御素子７５に転送され、この記録制御素子７５内のＲＡＭに記録エラーの判断情報として用いるために蓄積される。まず、手差しトレイ６１に記録紙があるとき、ＭＰＵ７０は決定した記録可能なサイズを示す６ビットデータをコマンドとして記録制御素子７５に対し送出する。これはシリアル転送にて行われるが、その動作は次の通りである。まずＭＰＵ７０は６ビットデータの最上位に“１”を最下位にパリティビットを付加し、８ビットデータとしてクロック信号に同期して記録制御素子７０にシリアル転送する。このシリアル転送のタイムチャートを図１０に示す。ＭＰＵ７０はシリアル転送を行う前に記録制御素子７５に対しＢＵＳＹ１信号を送出する。記録制御素子７５は割込ポートにてＢＵＳＹ１信号を受け、直ちにＭＰＵ７０より送出されているシフトクロック信号の立ち上がりエッジに同期してＭＰＵ７０より送出される８ビットのシフトデータを受信し、シリアルデータレジスタ（ＳＤＲ）に格納し、さらに記録制御素子７５内のＲＡＭに転送する。これにより記録制御素子７５はＭＰＵ７０より、記録しようとする画像の記録可能なサイズに関するデータを受け、記録エラーを判断するための情報としてＲＡＭに格納しておく。
【００５７】
そして、記録起動のためのトリガが与えられると、ＭＰＵ７０は記録制御素子７５に対し、画像データの転送準備を開始する。
【００５８】
まず、Ｓ９０１では手差しトレイ６１にセットされている記録紙の幅を記録紙をはさむガイドにより検知し、この記録紙幅のデータを記録制御素子７５のＲＡＭに記憶しておく。そして、先の記録起動のトリガにより、画像ＲＡＭ７２内のデータは再び第１コーデック７１によって復号化され記録画像データ制御素子７８を介して複数のラインバッファを含むリングバッファ７７に転送される。ここまでは、記録紙の搬送は一旦停止させている。そして、リングバッファ７７にデータが満たされたとき、ＭＰＵ７０は記録制御素子７５に対し記録の起動を行う。この記録の起動によって、記録制御素子７５はモータＭ２の駆動を開始する。モータＭ２が回転を開始すると、手差しトレイ６１にセットされた記録紙が搬送ローラ３１ａによって１枚ずつ給送される。搬送された記録紙への記録はレジセンサ３１ｂによってタイミングがとられる。
【００５９】
搬送された記録紙はアクチュエータ５５を作動させ、アクチュエータ５５がレジセンサ３１ｂとして用いられているフォトインタラプタの光路を妨げる。これによってＳ９０２において記録制御素子７５が記録紙の先端を検知する。
【００６０】
また、Ｓ９０３で、記録紙の先端検知と同時に記録制御素子７５はタイマーカウンタＴ１を起動させる。タイマーカウンタＴ１の値が所定値に達したとき、記録制御素子７５はＭＰＵ７０に対し垂直同期信号を出力する。そして、ＭＰＵ７０は垂直同期信号の受信によりタイマーカウンタＴ２を起動させる。
【００６１】
タイマーカウンタＴ２の値が所定値に達したとき、ＭＰＵ７０は記録画像データ制御素子７８に対し、レーザ光路内に設置された固定ミラー４６へのレーザ光入射により記録制御素子７５から生成される水平同期信号の受信の許可を行う。同時にタイマーカウンタＴ２を停止し、リセットする。記録画像データ制御素子７８は記録制御素子７５から所定時間おきに入力される水平同期信号に応じてリングバッファ７７内のラインバッファから１ライン分の２値データの送出を行う。
【００６２】
記録制御素子７５はリングバッファ７７内のラインバッファから送られてきた１ライン分の２値データに応じてレーザダイオード１７のオン／オフを行う。同時に画像形成部５を動作させ、感光ドラム２１上にトナー像を形成する。そして、Ｓ９０４で、感光ドラム２１上のトナー像が記録紙に転写、定着される。トナー像が形成された感光ドラム２１が記録紙への転写位置まで回転したとき、その転写開始が記録紙の所望の位置になるように垂直同期信号の送出タイミングが設定されている。
【００６３】
記録紙は画像の記録とともにさらに搬送され、後端がアクチュエータ５５を過ぎてアクチュエータ５５がホームポジションに戻ったとき、アクチュエータ５５はレンジセンサ３１ｂに用いられているフォトインタラプタの光路を解放し、これによってＳ９０６で記録制御素子７５は記録紙の後端を検知する。
【００６４】
尚、Ｓ９０５でタイマーカウンタＴ１の値が後述する所定時間である範囲Ｗ２を越えた場合はジャムを生じたと判断しＳ９１１に進む。
【００６５】
また、記録紙の後端検知と同時に記録制御素子７５はＳ９０７でタイマーカウンタＴ１を停止させる。
【００６６】
次に、Ｓ９０８で、タイマーカウンタＴ１の停止と同時にタイマーカウンタＴ１のカウント値に基づき記録紙の副走査方向の長さを検出する。このとき、記録紙の搬送速度のばらつき及び使用する可能性のある最大の記録紙サイズのデータを考慮に入れておく。
【００６７】
そして、Ｓ９０９では、記録制御素子７５は、予めＭＰＵ７０から得た記録可能なサイズのデータをもとにして記録紙のサイズが画像データのサイズ以上であるか、即ち、画像データが記録紙からはみ出すことなく記録できたか否か判断する。ここでは、ＭＰＵ７０から通知された記録すべき画像データのサイズに基づく記録可能なサイズのデータとＳ９０１、Ｓ９０８での検出結果に基づく記録紙サイズのデータを比較するが、主走査方向は記録紙幅が画像データの幅以上か判断し、副走査方向はタイマーカウンタＴ１の値が画像データの解像度及びライン数に基づく副走査長を記録できる長さの記録紙がアクチュエータ５５の位置を通過するのに要する時間Ｔ３に搬送速度のばらつき及び使用する可能性のある最大の記録紙サイズのデータの許容範囲Ｗ１を加味した範囲Ｗ２であるかを判断する。
【００６８】
タイマーカウンタＴ１の値が上記範囲内Ｗ２内でなかった場合や記録紙幅が画像データの幅より小さかった場合は記録制御素子７５は記録エラーであると判断し、Ｓ９１１で記録紙にエラーであることを示すエラーメッセージを付加する。即ち、記録紙幅が小さかったり、タイマーカウンタＴ１の値が上記範囲Ｗ２より小さかったときは、画像データが記録からはみ出してしまった場合であり、このことを示したメッセージを画像に付加して出力する。また、タイマーカウンタＴ１の値が上記範囲Ｗ２を越えたときはジャムを生じた場合であり、このことを示したメッセージを示したエラーレポートを記録部１０２の回復後に出力する。同時にエラーが生じたことを表示部１０４に表示する。
【００６９】
そしてＳ９１２では画像データを画像ＲＡＭ７２から不揮発性記憶装置１０８に転送し、蓄積しておく。また、Ｓ９１３では受信した画像データをメモリに保持していることを示す表示部１０４のＬＥＤを点灯しておき、オペレータによる前述の様な出力処理に備える。
【００７０】
尚、Ｓ９１１でのエラーレポートには受信した年、月、日及び時、分さらには受信データをメモリに蓄積していることもあわせて記録しておくものとする。
【００７１】
一方、Ｓ９０９で正常に記録できたと判断すればＳ９１０に進み、ＭＰＵ７０は画像ＲＡＭ７２内の該当画像を消去する。
【００７２】
以上述べた様に本実施例によれば、ファクシミリ受信した場合に受信データのサイズに基づき、手差し給紙で使用すべき記録紙のサイズを表示するので、オペレータはこれを見て記録紙をセットすることにより記録エラーを防止できる。また記録の実行または中止の指示を求める表示を行い、これに対する指示に基づき処理することにより記録紙の再セットができ誤って記録を開始してしまうことを防ぐことができる。また、この時、報知音を発生するので、オペレータによる作業を促すことができる。また、所定時間の経過によりカセット給紙を選択するので、手差しトレイを開けたままその場を離れていても受信データの記録を行うことができメモリフル等を防止できる。さらに、手差し給紙で記録エラーを生じた場合、入力された画像データをメモリに保持するので再入力することなく後から読み出して記録させることができる。また、この記録エラーの判別を入力した画像データのサイズと記録紙の幅、そして記録紙の先端がレジセンサに達してから後端が通過するまでの時間に基づくデータとにより行う。この計時に用いるセンサ、タイマは従来より用いられているジャム検知のものと共用であるので装置の大型化や価格上昇を防止できる。また、はみ出すことなく記録できた画像データはメモリから消去するのでメモリを効率よく使用でき、記録エラーが発生した場合はエラーメッセージの付加やエラーレポートの出力を行うので、早急な対処が可能となる。
【００７３】
また、これらのことより手差し給紙により任意のサイズの画像データの通信が容易に行える。
【００７４】
また、コピーを行う場合は使用すべき記録紙のサイズを行い、記録を実行するか中止するか指示を行うことなくコピーを開始させることができる。
【００７５】
以上の実施例ではコピー及びファクシミリ受信データの記録の場合について説明したが、コンピュータからの出力データを記録する場合はコピーの場合と同様に使用すべき記録紙のサイズを表示し、記録紙がセットされると記録を開始するようにすればよい。
【００７６】
【発明の効果】
以上説明した様に本発明によれば、手差し給紙による記録を行う場合にその許可があった場合に受信データを記録させ、所定時間指示が無ければ受信画像データを蓄積手段に蓄積するか、或いは収納手段から給紙される記録紙に記録されるよう切り替えることにより、記録エラーを防止できるとともにメモリフルを防止しつつ画像データを再受信することなく後から記録させることが出来る。
【００７７】
また、記録エラーが生じた場合に入力した画像データを保持しておくので、後から読み出して記録させることができる。
【図面の簡単な説明】
【図１】本発明の一実施例であるファクシミリ装置の概略構成を示すブロック図である。
【図２】ファクシミリ装置の外観図である。
【図３】ファクシミリ装置の要部断面図である。
【図４】光学部４の概略構成を示す図である。
【図５】ファクシミリ装置１の詳細な構成を示すブロック図である。
【図６】コピー処理の流れを示すフローチャートである。
【図７】受信処理の流れを示すフローチャートである。
【図８】受信処理の流れを示すフローチャートである。
【図９】手差し記録の処理の流れを示すフローチャートである。
【図１０】ＭＰＵ７０から記録制御素子７５の記録可能なサイズデータのシリアルに転送におけるタイムチャートを示す図である。
【符号の説明】
１００  制御部
１０１  読み取り部
１０２  記録部
１０３  操作部
１０４  表示部
１０５  通信部
１０６  音響装置
１０７  外部インターフェース
１０８  不揮発性記憶装置
【図１】
0003585998.tif 000002
【図２】
0003585998.tif 000003
【図３】
0003585998.tif 000004
【図４】
0003585998.tif 000005
【図５】
0003585998.tif 000006
【図６】
0003585998.tif 000007
【図７】
0003585998.tif 000008
【図８】
0003585998.tif 000009
【図９】
0003585998.tif 000010
【図１０】
0003585998.tif 000011